(57)【要約】受信機（２）にて、予め設定された周波数変更量が大きな値から小さな値へ順次段階的に切り替えられ、受信側周波数変更量に基づいて同期信号を検出するための受信側候補周波数が計算され、送信装置から送信された同期信号が計算された受信側候補周波数を用いて同期信号検出部（５）にて検出される。また、送信機（１）にて、同期信号の帯域幅に基づいて計算されたできるだけ大きな周波数変更量に基づいて同期信号を送信するための周波数の候補となる送信側候補周波数が計算され、計算された送信側候補周波数がシステム周波数帯域内に存在する場合、計算された送信側候補周波数が同期信号を送信するための同期信号周波数として決定されて、同期信号が同期信号送信部（４）から受信機（２）へ送信される。
2007142194.tif 000002
【特許請求の範囲】
【請求項１】
同期確立するための同期信号を送信する送信装置と、前記同期信号を検出する事によって同期確立する受信装置とを有してなる通信システムにおいて、
前記受信装置は、前記同期信号の検出の試行を行う間隔を粗く間引いたものから間引かないものへ順次切り替え、
前記送信装置は、前記同期信号を前記受信装置の粗く間引いた間隔にて送信するように設定することを特徴とする通信システム。
【請求項２】
請求項１に記載の通信システムにおいて、
前記同期は周波数同期であり、前記同期確立は、有効な通信周波数の検出であり、
前記受信装置は、予め設定された周波数変更量を大きな値から小さな値へ順次段階的に切り替えて、前記周波数変更量に基づいて前記同期信号を検出するための受信側候補周波数を計算し、前記計算された受信側候補周波数を用いて前記同期信号を検出し、
前記送信装置は、前記通信システムの通信を行うシステム帯域幅に基づいて計算された
できるだけ大きな前記周波数変更量に基づいて前記同期信号を送信するための周波数の候補となる送信側候補周波数を計算し、前記送信側候補周波数が前記システム周波数帯域内に存在する場合、前記送信側候補周波数を前記同期信号を送信するための同期信号周波数として決定することを特徴とする通信システム。
【請求項３】
請求項１または請求項２に記載の通信システムにおいて、
前記受信装置は、前記受信側周波数変更量の整数倍にオフセットを加算して前記受信側候補周波数とし、
前記送信装置は、前記送信側周波数変更量の整数倍にオフセットを加算して前記送信側候補周波数とすることを特徴とする通信システム。
【請求項４】
請求項３に記載の通信システムにおいて、
前記受信装置は、前記オフセットを０とし、
前記送信装置は、前記オフセットを０とすることを特徴とする通信システム。
【請求項５】
請求項１乃至４のいずれか１項に記載の通信システムにおいて、
前記送信装置は、前記同期信号として既知信号を送信し、
前記受信装置は、前記受信側候補周波数と、前記既知信号との一致、または前記既知信号からＩＦＦＴもしくはＦＦＴを用いて計算されたレプリカ信号との一致を検出し、前記計算されたレプリカ信号を記憶することを特徴とする通信システム。
【請求項６】
請求項１乃至４のいずれか１項に記載の通信システムにおいて、
前記送信装置は、前記同期信号として同じパターンを繰り返す信号を送信し、
前記受信装置は、遅延検波により前記同期信号を検出することを特徴とする通信システム。
【請求項７】
請求項１乃至６のいずれか１項に記載の通信システムにおいて、
前記送信装置は、前記送信側周波数変更量を前記システム帯域の中心周波数の最小配置単位の整数倍に設定することを特徴とする通信システム。
【請求項８】
請求項１乃至７のいずれか１項に記載の通信システムにおいて、
前記受信装置は、前記受信側周波数変更量を前記システム帯域の中心周波数の最小配置単位の整数倍に設定することを特徴とする通信システム。
【請求項９】
システム周波数帯域内にて同期をとるための同期信号を受信装置へ送信する送信装置であって、
前記同期信号の帯域幅に基づいて計算されたできるだけ大きな送信側周波数変更量に基づいて前記同期信号を送信するための周波数の候補となる送信側候補周波数を計算し、前記送信側候補周波数が前記システム周波数帯域内に存在する場合、前記送信側候補周波数を前記同期信号を送信するための同期信号周波数として決定する送信装置。
【請求項１０】
請求項９に記載の送信装置において、
前記送信側周波数変更量の整数倍にオフセットを加算して前記送信側候補周波数とすることを特徴とする送信装置。
【請求項１１】
請求項１０に記載の送信装置において、
前記オフセットを０とすることを特徴とする送信装置。
【請求項１２】
送信装置から送信された同期信号を受信する受信装置であって、
予め設定された受信側周波数変更量を大きな値から小さな値へ順次段階的に切り替えて、前記受信側周波数変更量に基づいて前記同期信号を検出するための受信側候補周波数を計算し、前記計算された受信側候補周波数を用いて前記同期信号を検出する受信装置。
【請求項１３】
請求項１２に記載の受信装置において、
前記受信側周波数変更量の整数倍にオフセットを加算して前記受信側候補周波数とすることを特徴とする受信装置。
【請求項１４】
請求項１３に記載の受信装置において、
前記オフセットを０とすることを特徴とする受信装置。
【請求項１５】
システム周波数帯域内にて同期をとるための同期信号を送信する送信装置と、前記システム周波数帯域内で前記同期信号を検出する受信装置とを有してなる通信システムにおける同期検出方法であって、
前記受信装置が、前記同期信号の検出の試行を行う間隔を粗く間引いたものから間引かないものへ順次切り替える処理と、
前記送信装置が、前記同期信号を前記受信装置の粗く間引いた間隔にて検出されるように送信設定する処理とを有する同期検出方法。
【請求項１６】
請求項１５に記載の同期検出方法において、
前記受信装置が、予め設定された周波数変更量を大きな値から小さな値へ順次段階的に切り替える処理と、
前記受信装置が、前記受信側周波数変更量に基づいて前記同期信号を検出するための受信側候補周波数を計算する処理と、
前記受信装置が、前記計算された受信側候補周波数を用いて前記同期信号を検出する処理と、
前記送信装置が、前記同期信号の帯域幅に基づいて計算されたできるだけ大きな前記周波数変更量に基づいて前記同期信号を送信するための周波数の候補となる送信側候補周波数を計算する処理と、
前記送信装置が、前記送信側候補周波数が前記システム周波数帯域内に存在する場合、前記送信側候補周波数を前記同期信号を送信するための同期信号周波数として決定する処理と、
前記送信装置が、前記同期信号周波数を用いて前記同期信号を前記受信装置へ送信する処理とを有する同期検出方法。
【発明の詳細な説明】
【技術分野】
【０００１】
本発明は、情報を送受信するための有効な周波数を複数の候補周波数の中から検出する通信システム、送信装置、受信装置及び同期検出方法に関する。
【背景技術】
【０００２】
従来より、携帯端末等の移動局を用いた通信システムにおいては、基地局から移動局へ送信される下り信号の周波数として複数の周波数が定義される。そして、これら複数の周波数の中から１つ、あるいは複数が選択され、選択された周波数を用いて下り信号が送信される。【０００３】
図１は、従来の周波数領域検索であるバンドサーチを説明するために周波数領域を模式的に示す図である。【０００４】
例えば、Ｗ−ＣＤＭＡ（Wideband Code Division Multiple Access）方式の規格である３ＧＰＰ（3rd Generation Partnership Project）においては、図１に示すように、２１１０ＭＨｚから２１７０ＭＨｚの間の両端の２．５ＭＨｚを除いた周波数領域にて２００ｋＨｚ間隔でラスター（Raster）と呼ばれる２７６個の周波数が設定される。そして、設定された周波数の中から有効周波数が選択され、選択された有効周波数を中心とする送信帯域を用いて下り信号が送信される。なお、ラスターは、システムの送信帯域の中に中心周波数を配置する最小単位として定義されている。【０００５】
また、移動局は、電源投入時あるいは圏外検出時に、候補となる周波数から有効周波数を検出し、さらに基地局との間にて同期を確立する。この有効周波数を検出する処理はバンドサーチ処理と呼ばれている。有効周波数の検出には、同期信号と呼ばれる既知の信号を用いる場合がある。このバンドサーチ処理を高速化する方法として、隣接する複数の周波数をブロック化する方法が提案されている（例えば、特許公開２００３−２４４０８３号公報参照）。【０００６】
また、３ＧＰＰのＲｅｌｅａｓｅ７では、オペレータが所有する周波数帯域内で、狭帯域から広帯域まで複数の送信帯域幅（１．２５，２．５，５，１０，１５，２０ＭＨｚ）を設定可能とすることが検討されている（例えば、3GPP TR 25.814.V1.1.1 (2006-2) Physical Layer Aspects for Evolved UTRA (Release 7)  7.1.1章参照）。【０００７】
さらに、このような複数の帯域幅を設定可能なシステムに関して、複数の帯域幅の中心周波数を一致させ、且つその中心周波数はラスターの整数倍とし、同期信号（ＳＣＨ：Synchronization channel）を中心の帯域に配置することが提案されている（例えば、3GPP R1-060311 SCH Structure and Cell Search Method for E-UTRA Downlink参照。）。【０００８】
一方で、３ＧＰＰのＲｅｌｅａｓｅ７、３ＧＰＰ  Ｌｏｎｇ  Ｔｅｒｍ  Ｅｖｏｌｕｔｉｏｎ（ＬＴＥ）、ＷｉＭＡＸも含めて近年、マルチパス耐性の優れたＯＦＤＭ（Orthogonal Frequency Division Multiplexing）／ＯＦＤＭＡ（Orthogonal Frequency Division Multiplexing Access）が移動通信で用いられる傾向にある。その際、サブキャリア間隔などのパラメータはフェージング耐性を考慮して設定されるため、サブキャリア間隔がラスターの整数倍にならないこともあり、バンドサーチ処理や同期処理の簡略化が困難となる。【０００９】
しかしながら、上述した方法においては、設定された多数の候補周波数について有効波の有無を順次検索しているため、有効周波数を検出するバンドサーチ処理に要する時間が長くなってしまうという問題点がある。【００１０】
また、多数の周波数について有効波の有無を順次検索するのに演算量が多く必要であり、さらに伝送方式としてＯＦＤＭを用いる場合、サブキャリア間隔がラスターの整数倍でないと、候補となる周波数ごとの演算において中間結果などを相互に参照できないため、演算量を削減できず、それにより、バンドサーチ処理に要する消費電力が大きくなってしまうという問題点がある。
【発明の開示】
【００１１】
本発明は、上述した課題を解決するため、有効な周波数検出処理を高速に実現することができる通信システム、送信装置、受信装置及び同期検出方法を提供することを目的とする。
【００１２】
上記目的を達成するために本発明は、
同期確立するための同期信号を送信する送信装置と、前記同期信号を検出する事によって同期確立する受信装置とを有してなる通信システムにおいて、
前記受信装置は、前記同期信号の検出の試行を行う間隔を粗く間引いたものから間引かないものへ順次切り替え、
前記送信装置は、前記同期信号を前記受信装置の粗く間引いた間隔にて送信するように設定することを特徴とする。
【００１３】
また、前記同期は周波数同期であり、前記同期確立は、有効な通信周波数の検出であり、
前記受信装置は、予め設定された周波数変更量を大きな値から小さな値へ順次段階的に切り替えて、前記周波数変更量に基づいて前記同期信号を検出するための受信側候補周波数を計算し、前記計算された受信側候補周波数を用いて前記同期信号を検出し、
前記送信装置は、前記通信システムの通信を行うシステム帯域幅に基づいて計算された
できるだけ大きな前記周波数変更量に基づいて前記同期信号を送信するための周波数の候補となる送信側候補周波数を計算し、前記送信側候補周波数が前記システム周波数帯域内に存在する場合、前記送信側候補周波数を前記同期信号を送信するための同期信号周波数として決定することを特徴とする。
【００１４】
また、前記受信装置は、前記受信側周波数変更量の整数倍にオフセットを加算して前記受信側候補周波数とし、
前記送信装置は、前記送信側周波数変更量の整数倍にオフセットを加算して前記送信側候補周波数とすることを特徴とする。
【００１５】
また、前記受信装置は、前記オフセットを０とし、
前記送信装置は、前記オフセットを０とすることを特徴とする。
【００１６】
また、前記送信装置は、前記同期信号として既知信号を送信し、
前記受信装置は、前記受信側候補周波数と、前記既知信号との一致、または前記既知信号からＩＦＦＴもしくはＦＦＴを用いて計算されたレプリカ信号との一致を検出し、前記計算されたレプリカ信号を記憶することを特徴とする。
【００１７】
また、前記送信装置は、前記同期信号として同じパターンを繰り返す信号を送信し、
前記受信装置は、遅延検波により前記同期信号を検出することを特徴とする。
【００１８】
また、前記送信装置は、前記送信側周波数変更量を前記システム帯域の中心周波数の最小配置単位の整数倍に設定することを特徴とする。
【００１９】
また、前記受信装置は、前記受信側周波数変更量を前記システム帯域の中心周波数の最小配置単位の整数倍に設定することを特徴とする。
【００２０】
また、システム周波数帯域内にて同期をとるための同期信号を受信装置へ送信する送信装置であって、
前記同期信号の帯域幅に基づいて計算されたできるだけ大きな送信側周波数変更量に基づいて前記同期信号を送信するための周波数の候補となる送信側候補周波数を計算し、前記送信側候補周波数が前記システム周波数帯域内に存在する場合、前記送信側候補周波数を前記同期信号を送信するための同期信号周波数として決定する。
【００２１】
また、前記送信側周波数変更量の整数倍にオフセットを加算して前記送信側候補周波数とすることを特徴とする。
【００２２】
また、前記オフセットを０とすることを特徴とする。
【００２３】
また、送信装置から送信された同期信号を受信する受信装置であって、
予め設定された受信側周波数変更量を大きな値から小さな値へ順次段階的に切り替えて、前記受信側周波数変更量に基づいて前記同期信号を検出するための受信側候補周波数を計算し、前記計算された受信側候補周波数を用いて前記同期信号を検出する。
【００２４】
また、前記受信側周波数変更量の整数倍にオフセットを加算して前記受信側候補周波数とすることを特徴とする。
【００２５】
また、前記オフセットを０とすることを特徴とする。
【００２６】
また、システム周波数帯域内にて同期をとるための同期信号を送信する送信装置と、前記システム周波数帯域内で前記同期信号を検出する受信装置とを有してなる通信システムにおける同期検出方法であって、
前記受信装置が、前記同期信号の検出の試行を行う間隔を粗く間引いたものから間引かないものへ順次切り替える処理と、
前記送信装置が、前記同期信号を前記受信装置の粗く間引いた間隔にて検出されるように送信設定する処理とを有する。
【００２７】
また、前記受信装置が、予め設定された周波数変更量を大きな値から小さな値へ順次段階的に切り替える処理と、
前記受信装置が、前記受信側周波数変更量に基づいて前記同期信号を検出するための受信側候補周波数を計算する処理と、
前記受信装置が、前記計算された受信側候補周波数を用いて前記同期信号を検出する処理と、
前記送信装置が、前記同期信号の帯域幅に基づいて計算されたできるだけ大きな前記周波数変更量に基づいて前記同期信号を送信するための周波数の候補となる送信側候補周波数を計算する処理と、
前記送信装置が、前記送信側候補周波数が前記システム周波数帯域内に存在する場合、前記送信側候補周波数を前記同期信号を送信するための同期信号周波数として決定する処理と、
前記送信装置が、前記同期信号周波数を用いて前記同期信号を前記受信装置へ送信する処理とを有する。
【００２８】
また、前記受信側周波数変更量と前記送信側周波数変更量は、同じ値を含む。
【００２９】
上記のように構成された本発明においては、システム周波数帯域内にて同期をとるための同期信号が送信装置から送信され、受信装置にて、同期信号の検出の試行を行う周波数が粗く間引いたものから間引かないものへ順次切り替えられ、システム周波数帯域内で同期信号が検出される。
【００３０】
これにより、複数の周波数の候補の中から有効な周波数を検出する処理の高速化、及び当該処理に要する消費電力の削減を実現することができる。
【００３１】
以上説明したように本発明においては、システム周波数帯域内にて同期をとるための同期信号を送信装置から送信し、受信装置にて、同期信号の検出の試行を行う周波数を粗く間引いたものから間引かないものへ順次切り替え、システム周波数帯域内で同期信号を検出する構成とし、送信装置では受信装置で早く検出されるように同期信号送信周波数を設定したため、有効な周波数検出処理を高速に実現することができる。
【図面の簡単な説明】
【００３２】
【図１】従来の周波数領域検索であるバンドサーチを説明するために周波数領域を模式的に示す図である。
【図２】本発明の通信システムの実施の一形態を示す図である。
【図３（ａ）】図２に示した形態における同期チャネルの段階的サーチを説明するために第１段階目の周波数領域を模式的に示す図である。
【図３（ｂ）】図２に示した形態における同期チャネルの段階的サーチを説明するために第２段階目の周波数領域を模式的に示す図である。
【図３（ｃ）】図２に示した形態における同期チャネルの段階的サーチを説明するために第３段階目の周波数領域を模式的に示す図である。
【図４】本発明のバンドサーチ高速化の効果を示す図である。
【図５】図２に示した通信システムの受信機における同期検出方法を説明するためのフローチャートである。
【図６】図５に示したフローチャートをさらに具体化したフローチャートである。
【図７（ａ）】図６に示したフローチャートを用いて説明した段階的バンドサーチ処理の１段階目の処理を模式化した図である。
【図７（ｂ）】図６に示したフローチャートを用いて説明した段階的バンドサーチ処理の２段階目の処理を模式化した図である。
【図７（ｃ）】図６に示したフローチャートを用いて説明した段階的バンドサーチ処理の３段階目の処理を模式化した図である。
【図７（ｄ）】図６に示したフローチャートを用いて説明した段階的バンドサーチ処理の５段階目の処理を模式化した図である。
【図８】図２に示した通信システムの送信機における同期信号の送信周波数を決定する手順を説明するためのフローチャートである。
【図９】図２に示した通信システムの送信機における同期信号の送信周波数を決定する手順について、他の決定方法を説明するためのフローチャートである。
【図１０（ａ）】本発明における同期信号の周波数領域での配置を送信帯域がＴＢＷ＿ｓ１＝５ＭＨｚであり、３０１個のサブキャリアから成るＯＦＤＭ信号を送信するシステムにおいて模式的に示す図である。
【図１０（ｂ）】本発明における同期信号の周波数領域での配置を送信帯域がＴＢＷ＿ｓ２＝１．２５ＭＨｚであり、７０５個のサブキャリアから成るＯＦＤＭ信号を送信するシステムにおいて模式的に示す図である。
【図１１】３ＧＰＰのＬＴＥにおける一般的なサブキャリアの時間領域及び周波数領域を模式化した図である。
【図１２】本発明におけるサブキャリアの時間領域及び周波数領域を模式化した図である。
【図１３】ＤＣサブキャリアを設けることが不要なシステムにおけるサブキャリアの時間領域及び周波数領域を模式化した図である。
【図１４】ＤＣサブキャリアが設けられたシステムにおける同期信号送信時の周波数軸上のサブキャリアを模式化した図である。
【図１５】ＤＣサブキャリアを設けることが不要なシステムにおける同期信号送信時の周波数軸上のサブキャリアを模式化した図である。
【図１６】本発明の通信システムを無線通信方式を用いた無線通信システムに適用した場合の一形態を示す図である。
【図１７（ａ）】図１６に示した形態のうち破線で示した部分について、他の構成を用いた場合の第１の形態を示す図である。
【図１７（ｂ）】図１６に示した形態のうち破線で示した部分について、他の構成を用いた場合の第２の形態を示す図である。
【発明を実施するための最良の形態】
【００３３】
以下に、本発明の実施の形態について図面を参照して説明する。【００３４】
図２は、本発明の通信システムの実施の一形態を示す図である。【００３５】
本形態は図２に示すように、送信装置である送信機１と、送信機１と通信を行う受信装置である受信機２とから構成されている。さらに、送信機１は、同期信号生成部３と、同期信号送信部４とから構成されている。また、受信機２は、同期信号検出部５と、周波数制御部６とから構成されている。同期信号生成部３は、送信機１と受信機２との間にて同期をとるための同期信号を生成する。同期信号送信部４は、同期信号生成部３にて生成された同期信号を受信機２へ送信する。周波数制御部６は、送信機１から送信された同期信号を検出するための周波数を同期信号検出部５へ出力する。同期信号検出部５は、周波数制御部６から出力された周波数を用いて同期信号を検出し、その検出結果を周波数制御部６へ通知する。【００３６】
図３は、図２に示した形態における同期チャネルの段階的サーチを説明するために周波数領域を模式的に示す図である。【００３７】
図３に示すように、受信機２の周波数制御部６は、同期信号の検出を行うための候補周波数を、既定の周波数帯域の内で粗く間引いたものから間引かないものへ順次段階的に切り替えながら出力する。【００３８】
図３において、（ａ）は同期検出の第１段階目で試行を行う候補周波数を示し、以降、（ｂ）は第２段階目、（ｃ）は第３段階目の候補周波数を示す。段階が進むほど候補周波数の間隔は狭くなる。【００３９】
送信機１においては、受信機２の周波数制御部６が出力する周波数の早い段階のものに同期信号を乗せるように同期信号送信部４の送信周波数が設定される。【００４０】
図４は、本発明のバンドサーチ高速化の効果を示す図である。【００４１】
図４に示すように、従来法と比べて上述した本発明における処理の方がバンドサーチの試行の早い段階で高い検出確率を得ることができる。【００４２】
また、送信機１の同期信号生成部３にて生成される同期信号は、時間軸上で同じパターンを繰り返すものか、または送受信間で既知の信号であれば良い。また、受信機２の同期信号検出部５は、同期信号が時間軸上で同じパターンが繰り返される場合、遅延検波により検出し、同期信号が既知のパターンであれば同期検波により検出を試みる。また、同期信号およびその検出部の構成は、本発明の効果を限定するものではなく、どのような方法であってもかまわない。【００４３】
また、特許公開２００３−２４４０８３号公報に記載されているように、サーチ周波数帯域を複数のブロックに分けて電力検出を行い、電力検出された帯域に絞って本発明の方法でバンドサーチ処理を行っても良い。【００４４】
以下に、図２に示した通信システムにおける同期検出方法について説明する。【００４５】
図５は、図２に示した通信システムの受信機２における同期検出方法を説明するためのフローチャートである。【００４６】
ここで、ＢＳＳ＿ＵＥ（ｋ）をｋ回目のサーチステップにおける受信側周波数変更量（バンドサーチステップ）とし、表１に示すように定義する。【００４７】
【表１】
2007142194.tif 000003
【００４８】
まず、ステップ１にて、変数ｋが初期値である０に設定され、ＢＳＳ＿ＵＥ（０）幅のバンドサーチによる受信側候補周波数である有効周波数の同期検出がステップ２にて行われる。有効周波数が検出されたかどうかがステップ３にて判断され、検出された場合、処理は終了する。【００４９】
一方、有効周波数が検出されない場合、ＢＳＳ＿ＵＥ（０）幅のバンドサーチによる次の受信側候補周波数が存在するかどうかがステップ４にて判断される。つまり、簡単な例を挙げて具体的に説明すると、有効周波数の同期検出を行うサーチ周波数帯域が、２０００ＭＨｚ〜２００５ＭＨｚである場合、最初に同期検出を行った候補周波数が２００３．２ＭＨｚであるとすると、ＢＳＳ＿ＵＥ（０）幅は３．２ＭＨｚであるため、次の候補周波数が２００６．４ＭＨｚとなり、周波数帯域を超えてしまい、次の候補周波数が存在しないこととなる。なお、ここで挙げた例は、説明の便宜上、設定した値を使用しており、現実に用いられる値ではない。【００５０】
ステップ４にて、ＢＳＳ＿ＵＥ（０）幅のバンドサーチによる次の候補周波数が存在すると判断された場合、次の候補周波数がステップ５にて設定され、ステップ２の同期検出が行われる。【００５１】
また、ステップ４にて、ＢＳＳ＿ＵＥ（０）幅のバンドサーチによる次の候補周波数が存在しないと判断された場合、つまり、ＢＳＳ＿ＵＥ（０）幅のバンドサーチによる有効周波数の検出処理が終了したと判断された場合、ステップ６にてＢＳＳ＿ＵＥ（０）の値とラスターの値とが比較される。ここでラスターの値は、２００ｋＨｚとする。また、ＢＳＳ＿ＵＥ（ｋ）の値は、ラスターの値の整数倍となっている。【００５２】
ＢＳＳ＿ＵＥ（０）の値がラスターの値よりも大きな値であるため、ステップ７にてｋ＝ｋ＋１とし、次段階であるＢＳＳ＿ＵＥ（１）についてステップ２からＢＳＳ＿ＵＥ（０）における処理と同様の処理が行われる。【００５３】
いずれかのＢＳＳ＿ＵＥ（ｋ）において有効周波数が検出されない限り、ＢＳＳ＿ＵＥ（ｋ）の値がラスターの値以下になるまでステップ２〜７の処理が行われる。図３にて説明したように、受信側周波数変更量を大きな値から小さな値へ、つまり、候補周波数を既定の周波数帯域の内で粗く間引いたものから間引かないものへ順次段階的に切り替えながら、同期検出が行われることとなる。ＢＳＳ＿ＵＥ（ｋ）の値がラスターの値以下になっても有効周波数が検出されない場合は、サーチ帯域内に有効周波数が存在しないと判断される。【００５４】
図６は、図５に示したフローチャートをさらに具体化したフローチャートである。【００５５】
ここで、同期信号の帯域幅をＳＣＨ＿ＢＷとする。また、有効周波数を検出するサーチ周波数帯域の下限周波数をｆ＿Ｌとし、上限周波数をｆ＿Ｈとする。【００５６】
まず、式１に示すように、ステップ１１にて変数ｋが初期値である０に設定され、最大バンドサーチステップＢＳＳ＿ＵＥ（０）から同期検出が開始される。【００５７】
【数１】
2007142194.tif 000004
【００５８】
ステップ１２にて、式２を用いてＮｔｍｐが計算される。ここで[]は[]内の値の小数点以下を切り捨てるものとする。【００５９】
【数２】
2007142194.tif 000005
【００６０】
そして、ステップ１３にて、式３によって、（ｆ＿Ｌ＋ＳＣＨ＿ＢＷ／２）と（Ｎｔｍｐ×ＢＳＳ＿ＵＥ（ｋ））とが比較される。【００６１】
【数３】
2007142194.tif 000006
【００６２】
ステップ１３にて、（ｆ＿Ｌ＋ＳＣＨ＿ＢＷ／２）と（Ｎｔｍｐ×ＢＳＳ＿ＵＥ（ｋ））とが等しくはないと判断された場合、ステップ１４にて、式４の計算が行われる。【００６３】
【数４】
2007142194.tif 000007
ここで、式２、式３及び式４の計算の結果、式２の［］内に少数点以下の値が存在する場合、切り上げる動作を行う。【００６４】
そして、式５によって、（ｆ＿Ｈ−ＳＣＨ＿ＢＷ／２）と（Ｎｔｍｐ×ＢＳＳ＿ＵＥ（ｋ））とが比較され、バンドサーチを行う候補周波数が、ｆ＿Ｈに対してＳＣＨ＿ＢＷ／２の余裕を持つ値以下かどうかがステップ１５にて判断される。【００６５】
【数５】
2007142194.tif 000008
【００６６】
また、ステップ１３にて、（ｆ＿Ｌ＋ＳＣＨ＿ＢＷ／２）と（Ｎｔｍｐ×ＢＳＳ＿ＵＥ（ｋ））とが等しいと判断された場合は、ステップ１４の処理は行われず、ステップ１５の処理が行われる。【００６７】
ステップ１５にて、（Ｎｔｍｐ×ＢＳＳ＿ＵＥ（ｋ））が（ｆ＿Ｈ−ＳＣＨ＿ＢＷ／２）以下であると判断された場合、式６にしたがってステップ１６にて候補周波数ｆ（ｋ，Ｎｔｍｐ）が計算される。【００６８】
【数６】
2007142194.tif 000009
【００６９】
そして、式６にしたがって計算された候補周波数ｆ（ｋ，Ｎｔｍｐ）に対してステップ１７にて同期検出が行われ、同期が検出されたかどうかがステップ１８にて判断され、検出された場合、バンドサーチ処理は終了する。【００７０】
一方、ステップ１８にて同期が検出されなかった場合は、ステップ１９にて式７にしたがってＮｔｍｐの値を１増加させ、再度ステップ１５の処理が行われる。【００７１】
【数７】
2007142194.tif 000010
【００７２】
また、ステップ１５にて、（Ｎｔｍｐ×ＢＳＳ＿ＵＥ（ｋ））が（ｆ＿Ｈ−ＳＣＨ＿ＢＷ／２）よりも大きな値であると判断された場合は、図５にて説明したステップ６及びステップ７の処理と同様に、ステップ２０にてｋが最大値（本例では４）を超えたと判断されるまで、ステップ２１にてｋを１ずつ増加させ、バンドサーチ処理が実行される。【００７３】
ｋが最大値を超えても同期が検出されない場合は、サーチ帯域内に有効周波数は存在しないと判断される。【００７４】
図７は、図６に示したフローチャートを用いて説明した段階的バンドサーチ処理を模式化した図である。【００７５】
図７（ａ）は段階的バンドサーチの１段階目において同期検出が行われる候補周波数を示す。１段階目は、サーチ周波数帯域（ｆ＿Ｌ〜ｆ＿Ｈ）の上限と下限とにそれぞれＳＣＨ＿ＢＷ／２の余裕を持った範囲内に存在する候補周波数ｆ（０，０）とｆ（０，１）との同期検出が行われる。この時、ｆ（０，１）とｆ（０，０）の差はＢＳＳ＿ＵＥ（０）である。【００７６】
図７（ｂ）は２段階目において同期検出が行われる候補周波数を示す。２段階目では、ＢＳＳ＿ＵＥ（１）分、離れた候補周波数はサーチ周波数帯域内に、ｆ（１，０）〜ｆ（１，３）の４個が存在するが、破線矢印で示すｆ（１，１）及びｆ（１，３）は１段階目で既に同期検出を試み、検出されなかった周波数のため、再度同期検出処理は行われない。【００７７】
同様に、図７（ｃ）は３段階目において同期検出が行われる候補周波数を示す。３段階目では、ＢＳＳ＿ＵＥ（２）分、離れた候補周波数はサーチ周波数帯域内に、ｆ（２，０）〜ｆ（２，７）の８個が存在するが、破線矢印で示すｆ（２，０）、ｆ（２，２）、ｆ（２，４）、ｆ（２，６）は１段階目及び２段階目で既に同期検出を試み、検出されなかった周波数のため、再度同期検出処理は行われない。【００７８】
同様に、図７（ｄ）は５段階目において同期検出が行われる候補周波数を示す。このとき、ＢＳＳ＿ＵＥ（４）はＲａｓｔｅｒと等しいため、従来と同様にラスターの精度でバンドサーチをすべて実行することができる。【００７９】
図８は、図２に示した通信システムの送信機１における同期信号の送信周波数を決定する手順を説明するためのフローチャートである。【００８０】
受信機２ではバンドサーチを行うときに、同期信号検出を試行する周波数を、段階的にステップサイズを変えて決定するものとする。一方、送信機１では、複数のバンドサーチステップのうち、同期信号を送信する周波数ｆｐ＿ｓ１を、システムの送信帯域内（ｆＬ＿ｓ１〜ｆＨ＿ｓ１）に同期信号の帯域（ＳＣＨ＿ＢＷ）を確保しながら、バンドサーチステップが最大になるように決定する。【００８１】
まず、周波数を最も粗く間引いた状態となるような最大バンドサーチステップがステップ３１にて設定される。設定されたバンドサーチステップを用いて所定の式によって同期信号を挿入する同期信号周波数が送信側候補周波数として計算される。計算された送信側候補周波数で同期信号を送信可能かどうか、つまり当該送信側候補周波数がシステム周波数帯域内に存在するかどうかがステップ３２にて判断される。【００８２】
送信可能でないと判断された場合、ステップ３３にて順次段階的にバンドサーチステップを小さな値に設定して、つまり間引かないものに変更する。変更されたバンドサーチステップを用いて再度送信側候補周波数が計算される。計算された送信側候補周波数で同期信号が送信可能かが判断され、送信可能であると判断された場合に、ステップ３４にて当該送信側候補周波数が同期信号周波数として決定される。【００８３】
図９は、図２に示した通信システムの送信機１における同期信号の送信周波数を決定する手順について、他の決定方法を説明するためのフローチャートである。【００８４】
ここで、ＢＳＳ＿ｔｍｐは、最大送信側周波数変更量である最大バンドサーチステップＢＳＳ＿ｓ１を求める変数であると定義する。【００８５】
まず、バンドサーチステップの最小値が設定される。すなわち、ラスターの値Ｒａｓｔｅｒがバンドサーチステップの初期値として、ステップ４１にて式８のように設定される。【００８６】
【数８】
2007142194.tif 000011
【００８７】
このとき、ラスターが定義されていない場合は、予め設定されたバンドサーチステップの最小値が設定される。【００８８】
そして、ステップ４２にて、式９を用いてＮＬ＿ｔｍｐが計算される。ここで[]は[]内の値の小数点以下を切り捨てるものとする。【００８９】
【数９】
2007142194.tif 000012
【００９０】
そして、ステップ４３にて、式１０によって、（ｆＬ＿ｓ１）と（ＮＬ＿ｔｍｐ×ＢＳＳ＿ｔｍｐ）とが比較される。【００９１】
【数１０】
2007142194.tif 000013
【００９２】
ステップ４３にて、（ｆＬ＿ｓ１）と（ＮＬ＿ｔｍｐ×ＢＳＳ＿ｔｍｐ）とが等しくはないと判断された場合、ステップ４４にて式１１の計算が行われる。【００９３】
【数１１】
2007142194.tif 000014
【００９４】
ここで、式９、式１０及び式１１の計算の結果、式９の［］内の除算に少数点以下に値が存在する場合、その値を切り上げる動作が行われる。【００９５】
そして、ステップ４５にて式１２にしたがって、変数ＮＨ＿ｔｍｐが計算される。また、ステップ４３にて、ｆＬ＿ｓ１と（ＮＬ＿ｔｍｐ×ＢＳＳ＿ｔｍｐ）とが等しいと判断された場合は、ステップ４４の処理は行われず、ステップ４５の処理が行われる。【００９６】
【数１２】
2007142194.tif 000015
【００９７】
その後、ステップ４６にて式１３によって、ＮＬ＿ｔｍｐとＮＨ＿ｔｍｐとが比較される。【００９８】
【数１３】
2007142194.tif 000016
【００９９】
ＮＬ＿ｔｍｐとＮＨ＿ｔｍｐとが等しくはないと判断された場合、ＢＳＳ＿ｔｍｐは最大値に達していないため、ステップ４７にて式１４にしたがってバンドサーチステップＢＳＳ＿ｔｍｐの値が大きな値に計算される。そして、再度ステップ４２〜４５の処理が行われる。【０１００】
【数１４】
2007142194.tif 000017
【０１０１】
一方、ＮＬ＿ｔｍｐとＮＨ＿ｔｍｐとが等しいと判断された場合は、ＢＳＳ＿ｔｍｐは最大値に達しているため、式１５、式１６、及び式１７にしたがって同期信号を送信する周波数ｆｐ＿ｓ１がステップ４８にて決定される。【０１０２】
【数１５】
2007142194.tif 000018
【０１０３】
【数１６】
2007142194.tif 000019
【０１０４】
【数１７】
2007142194.tif 000020
【０１０５】
このように、送信側における同期信号を送信する周波数の決定は、バンドサーチステップを大きい値から小さい値に変更するか、小さい値から大きい値に変更するかに関わらず求めることが出来る。【０１０６】
図１０は、本発明における同期信号の周波数領域での配置を模式的に示す図である。ここでは、ＯＦＤＭ信号を想定している。【０１０７】
図１０（ａ）では、システムの送信帯域ＴＢＷ＿ｓ１＝５ＭＨｚであり、３０１個のサブキャリアから成るＯＦＤＭ信号を送信するものとする。また、ｆｃ＿ｓ１はシステムｓ１の中心周波数である。また、同期信号ＳＣＨの帯域ＳＣＨ＿ＢＷは１．２５ＭＨｚとし、同期信号の中心周波数ｆｐ＿ｓ１はシステムの中心周波数ｆｃ＿ｓ１とは独立に設定可能であるものとする。【０１０８】
このとき、ＴＢＷ＿ｓ１はＳＣＨ＿ＢＷよりも大きいため、ラスターが十分小さな値である場合、図８あるいは図９のフローチャートを用いて説明した処理において、大きなＢＳＳ＿ｓ１を選択できる。【０１０９】
以下に、具体的な数値の例を挙げて説明する。【０１１０】
具体例として、ｆＬ＿ｓ１＝２１３０．９ＭＨｚ、ｆｃ＿ｓ１＝２１３３．４ＭＨｚ、ｆＨ＿ｓ１＝２１３５．９ＭＨｚ、Ｒａｓｔｅｒ＝２００ｋＨｚ、バンドサーチステップの最大値を６．４ＭＨｚ、及び、サブキャリア間隔Δｆ＝１５ｋＨｚとする。ここでは、図８に示したフローチャートに従い、バンドサーチステップの最大値から順次バンドサーチステップを小さくして説明する。【０１１１】
まず、最大のバンドサーチステップ６．４ＭＨｚにおいて、送信帯域内にＳＣＨ＿ＢＷの余裕を取った帯域２１３１．５２５ＭＨｚ〜２１３５．２７５ＭＨｚ間に、バンドサーチステップ６．４ＭＨｚの整数倍となる同期信号周波数が存在するかどうかが判断される。ここでは、バンドサーチステップ６．４ＭＨｚの整数倍となる同期信号周波数は存在しない。【０１１２】
そのため、バンドサーチステップを次段階の３．２ＭＨｚとし、帯域２１３１．５２５ＭＨｚ〜２１３５．２７５ＭＨｚ間に、バンドサーチステップ３．２ＭＨｚの整数倍となる同期信号周波数が存在するかどうかが判断される。このとき、候補として、２１３４．４ＭＨｚが存在する。【０１１３】
しかし、２１３４．４ＭＨｚは、ｆｃ＿ｓ１との差が１ＭＨｚであり、Δｆである１５ｋＨｚで割り切れない。これは、この周波数がサブキャリア周波数でないことを意味するため、同期信号を配置するサブキャリアがシステムのサブキャリア周波数と一致しなくなるため、ｆｐ＿ｓ１に設定することが不適切であると判断され、さらに、バンドサーチステップを次段階の１．６ＭＨｚとする。帯域２１３１．５２５ＭＨｚ〜２１３５．２７５ＭＨｚ間に、バンドサーチステップ１．６ＭＨｚの整数倍となる同期信号周波数は、２１３２．８ＭＨｚと，２１３４．４ＭＨｚとの２つの候補が存在する。【０１１４】
ここで、２１３２．８ＭＨｚはｆｃ＿ｓ１との差が６００ｋＨｚであり、Δｆで割り切れるため、同期信号を配置するサブキャリアはシステムのサブキャリア周波数と一致すると判断され、ｆｐ＿ｓ１＝２１３２．８ＭＨｚとされる。このとき、ｆｐ＿ｓ１はサブキャリア番号１１１である。【０１１５】
次に、図１０（ｂ）では、システムの送信帯域ＴＢＷ＿ｓ２＝１．２５ＭＨｚであり、７５個のサブキャリアから成るＯＦＤＭ信号を送信するものとする。また、ｆｃ＿ｓ２はシステムｓ２の中心周波数である。また、同期信号ＳＣＨの帯域ＳＣＨ＿ＢＷは１．２５ＭＨｚとする。【０１１６】
例えば、図９に示したフローチャートを用いて説明した処理においては、ＴＢＷ＿ｓ２＝ＳＣＨ＿ＢＷのため、ＢＳＳ＿ｓ２＝Ｒａｓｔｅｒとなり、ｆｐ＿ｓ２＝ｆｃ＿ｓ２となる。【０１１７】
以上の説明においては、式６及び式１７において、同期信号の周波数をバンドサーチステップの整数倍としたが、バンドサーチステップの整数倍にオフセットを加算して式１８及び式１９としてもよい。【０１１８】
【数１８】
2007142194.tif 000021
【０１１９】
【数１９】
2007142194.tif 000022
【０１２０】
式１８及び式１９に伴い、図６に示したフローチャートを用いて説明した処理における式２は式２０に、また式３は式２１に、また式５は式２２に、式６を式１９に置き換えられる。【０１２１】
【数２０】
2007142194.tif 000023
【０１２２】
【数２１】
2007142194.tif 000024
【０１２３】
【数２２】
2007142194.tif 000025
【０１２４】
図１１は、３ＧＰＰのＬＴＥにおける一般的なサブキャリアの時間領域及び周波数領域を模式化した図である。【０１２５】
図１１に示すように、３ＧＰＰのＬＴＥでは、受信機のＤＣ（Direct Current：直流）成分カットの簡易構成のために、システム帯域の中心周波数のサブキャリアは、ＤＣサブキャリアという通常のサブキャリアとは異なるサブキャリアを定義する。定義されたサブキャリアにおいては、データ送信しない。システムｓ３は、通常のデータ送信サブキャリア１３３，１３５，１３９，１４１と、そのシステム帯域ＴＢＷ＿ｓ３の中心周波数ｆｃ＿ｓ３のデータを送信しないＤＣサブキャリア１３４，１４０とから構成されている。また、帯域ＳＣＨ＿ＢＷの同期信号のサブキャリア１３０，１３２，１３６，１３８を所定の同期信号挿入周期で挿入し、その中心周波数領域１３１，１３７は同期信号を送信しない領域となる。【０１２６】
図１２は、本発明におけるサブキャリアの時間領域及び周波数領域を模式化した図である。【０１２７】
図１２に示すように、システムｓ４は、通常のデータ送信サブキャリア１４５，１４７，１５１，１５３と、そのシステム帯域ＴＢＷ＿ｓ４の中心周波数ｆｃ＿ｓ４のデータを送信しないＤＣサブキャリア１４６，１５２とから構成されている。また、中心周波数ｆｃ＿ｓ４からずらした同期信号のサブキャリア１４２，１４４，１４８，１５０を所定の同期信号挿入周期で挿入し、その中心周波数ｆｐ＿ｓ４の中心周波数領域１４３，１４９であるサブキャリアはＤＣサブキャリア１４６，１５２と同様に同期信号を送信しない。【０１２８】
また、サブキャリア間隔と受信機との関係において、ＤＣサブキャリアを設けることが不要なシステムでは、システムの中心周波数ｆｃにデータを含まないための構成は、中心周波数ｆｃをサブキャリア間の周波数に設定することで実現することができる。【０１２９】
図１３は、ＤＣサブキャリアを設けることが不要なシステムにおけるサブキャリアの時間領域及び周波数領域を模式化した図である。【０１３０】
図１３に示すように、システムｓ５は、通常のデータ送信サブキャリア１５７，１５９，１６３，１６５から構成され、そのシステム帯域ＴＢＷ＿ｓ５の中心周波数ｆｃ＿ｓ５は、データ通信サブキャリア１５７，１６３とデータ通信サブキャリア１５９，１６５との間の周波数領域１５８，１６４となる。また、中心周波数ｆｃ＿ｓ５からずらした同期信号のサブキャリア１５４，１５６，１６０，１６２を所定の同期信号挿入周期で挿入し、その中心周波数ｆｐ＿ｓ５がそれぞれ同期信号のサブキャリア１５４，１６０と同期信号のサブキャリア１５６，１６２との間の周波数領域１５５，１６１となる。【０１３１】
図１４は、ＤＣサブキャリアが設けられたシステムにおける同期信号送信時の周波数軸上のサブキャリアを模式化した図である。【０１３２】
図１４に示すように同期信号は、同期信号を含むサブキャリア１７０，１７２と、ＤＣサブキャリア１７１とから構成されている。ＤＣサブキャリア１７１は、同期信号の中心周波数ｆｐに配置され同期信号を含まない。【０１３３】
また、ＤＣサブキャリアを設けることが不要なシステムにおいては、同期信号の中心周波数ｆｐに同期信号を含まないための構成は、ｆｐを同期信号を含むサブキャリア間の周波数に設定することで実現することができる。【０１３４】
図１５は、ＤＣサブキャリアを設けることが不要なシステムにおける同期信号送信時の周波数軸上のサブキャリアを模式化した図である。【０１３５】
図１５に示すように同期信号は、同期信号を含むサブキャリア１７３，１７４から構成されている。そして、同期信号の中心周波数ｆｐを同期信号を含むサブキャリア１７３と同期信号を含むサブキャリア１７４との間の周波数になるように設定する。【０１３６】
図１６は、本発明の通信システムを無線通信方式を用いた無線通信システムに適用した場合の一形態を示す図である。【０１３７】
本形態は図１６に示すように、基地局１０１と、移動局１１２とから構成されている。基地局１０１と、移動局１１２との間にて、電波１１１が送受信され、通信が実現されている。【０１３８】
さらに基地局１０１は、ネットワーク通信部１０２と、無線変調部１０３と、同期信号挿入部１０４と、同期信号発生部１０５と、基地局無線部１０９と、基地局アンテナ１１０とから構成されている。【０１３９】
また、移動局１１２は、移動局アンテナ１１３と、移動局無線部１１４と、バンドサーチステップ発生部１１５と、バンドサーチステップ変更部１１６と、同期周波数候補計算部１１７と、同期検出部１１８と、無線復調部１１９と、復号部１２０と、出力部１２１とから構成されている。【０１４０】
ネットワーク通信部１０２は、ネットワークから受けた信号を受信する。無線変調部１０３は、ネットワーク通信部１０２にて受信された信号に対して、例えばＯＦＤＭ通信を行うためＩＦＦＴ（Inverse Fast Fourier Transform）もしくはＦＦＴ（Fast Fourier Transform）などの変調を行う。同期信号発生部１０５は、移動局１１２との間にて同期をとるために時間軸上で同じパターンを繰り返す遅延検波可能な信号、もしくは同期検波可能な既知信号である同期信号を発生する。同期信号挿入部１０４は、移動局１１２ができるだけ大きなバンドサーチステップで同期信号を検出できる周波数を中心として同期信号発生部１０５にて発生された同期信号を挿入する。基地局無線部１０９は、発信器や増幅器を含み、同期信号挿入部１０４の出力信号を基地局アンテナ１１０から電波１１１として送信する。【０１４１】
移動局無線部１１４は、受信器や増幅器を含み、基地局アンテナ１１０から発信された電波１１１を移動局アンテナ１１３を介して受信する。バンドサーチステップ発生部１１５は、複数のバンドサーチステップを記憶もしくは生成して発生する。バンドサーチステップ変更部１１６は、複数のバンドサーチステップから１つのバンドサーチステップを選択する。このとき、最初は大きな値を、そして順次段階的に小さな値を選択する。同期信号周波数候補計算部１１７は、バンドサーチステップ変更部１１６にて選択されたバンドサーチステップから所定の計算式を用いて同期信号の候補周波数を計算する。同期検出部１１８は、その候補周波数に同期信号があるかどうかを遅延検波もしくは同期検波によって検出する。無線復調部１１９は、同期検出部１１８にて同期が検出されたタイミングを用いて、ＯＦＤＭ復調のためのＦＦＴもしくはＩＦＦＴ等を行う。復号部１２０は、無線復調部１１９にて復調された信号を復号する。出力部１２１は、復号部１２０にて復号された信号を、表示もしくはスピーカからの音声出力などを行う。【０１４２】
ここで、同期検出部１１８にて同期検出が失敗すると、同期信号周波数候補計算部１１７によって、先と同じバンドサーチステップから所定の式に従って次の候補周波数が指定され、同期検出部１１８にて再び同期検出が行われる。【０１４３】
サーチ帯域内に、同じバンドサーチステップから計算される候補周波数が存在しなくなると、バンドサーチステップ変更部１１６にて、次のバンドサーチステップが選択され、同期信号周波数候補計算部１１７にて、新しいバンドサーチステップから所定の式に従って候補周波数が指定され、同期検出部１１８にて再び同期検出が行われる。【０１４４】
図１６に示した形態において、無線変調部１０３及び無線復調部１１９は、ＯＦＤＭ以外にも、ＭＣ−ＣＤＭＡ（Multi-Carrier Code Division Multiple Access）やＦＤＭＡ（Frequency Division Multiple Access）などの通信方式であってもよい。また、無線通信方式以外に有線通信方式であっても良い。【０１４５】
図１７は、図１６に示した形態のうち破線で示した部分について、他の構成を用いた場合の形態を示す図である。【０１４６】
図１７（ａ）に示すように本形態は、図１６に示した形態のうち破線で示した部分と比べて、移動局無線部１２２と、同期信号周波数候補計算部１２３と、同期検出部１２６との構成が異なっている。【０１４７】
同期信号周波数候補計算部１２３は、スーパーヘテロダインやダイレクトコンバージョンで構成される移動局無線部１２２の発振器を制御し、同期信号候補周波数が、ベースバンド周波数（＝０Ｈｚ）、もしくは一定の中間周波数となって同期検出部１２６に入るように制御する。【０１４８】
すなわち、第ｎ段階目の同期信号候補周波数をｆｐｃｈ＿ｃ（ｎ）とし、また、このタイミングｎの移動局無線部１２２におけるダウンコンバージョンによって指定する無線部周波数をｆｒａｄｉｏ（ｎ）とすると、ｆｐｃｈ＿ｃ（ｎ）は式２３に示すようになる。ただし、この場合、移動局無線部１２２から同期検出部１２６へのデータ遅延は考慮していない。【０１４９】
【数２３】
2007142194.tif 000026
【０１５０】
また、図７（a）〜（ｄ）に示した関数ｆ（ｋ，Ｎｔｍｐ）との関係は、式２４、式２５、式２６、及び、式２７のようになる。【０１５１】
【数２４】
2007142194.tif 000027
【０１５２】
【数２５】
2007142194.tif 000028
【０１５３】
【数２６】
2007142194.tif 000029
【０１５４】
【数２７】
2007142194.tif 000030
【０１５５】
従って、ｆ（ｋ，Ｎｔｍｐ）と同様に、ｆｐｃｈ＿ｃ（ｎ）を中心とした信号が同期検出部１２６に入力される。同期検出部１２６は、常に同じ０Ｈｚもしくは、中間周波数を中心として同期検出を行う。【０１５６】
また、図１７（ｂ）に示すように本形態は、図１６に示した形態のうち破線で示した部分と比べて、移動局無線部１２４の構成が異なっている。【０１５７】
移動機無線部１２４において、タイミングｎにおける周波数のダウンコンバージョンによって指定する無線部周波数をｆｒａｄｉｏ（ｎ）とし、また、同期検出部１１８でデジタルで指定するデジタル周波数をｆｄｉｇ（ｎ）とすると、それらの関係は式２８のようになる。ただし、この場合、移動局無線部１２４から同期検出部１１８へのデータ遅延は考慮していない。【０１５８】
【数２８】
2007142194.tif 000031
【０１５９】
移動局無線部１２４に指定する無線部周波数ｆｒａｄｉｏ（ｎ）はアナログであるため、それを変更すると周波数安定に時間を要するため、頻繁に変更すると時間がかかる。【０１６０】
一方、同期検出部１１８によるデジタル周波数ｆｄｉｇ（ｎ）の指定方法は、一般的には、受信信号にｓｉｎ，ｃｏｓ信号を掛ける方法がある。また、遅延検波を用いる場合は、受信信号を通すフィルタを変更する方法を用いることができる。レプリカ信号を用いて同期検波する場合は、レプリカ生成における周波数軸から時間軸への変換（ＩＦＦＴ，ＦＦＴ）において、周波数軸でシフトさせて変換して一致を検出する方法がある。このときの同期検出は、既知信号との一致を検出する。または、既知信号からＩＦＦＴやＦＦＴ等を用いて計算されたレプリカ信号との一致を検出する。そして、周波数軸上でシフトした複数の信号から複数のレプリカ信号を生成し、生成されたレプリカ信号を記憶して用いても良い。【０１６１】
この際、複数の予め演算されて記憶されたレプリカを用いて行うには記憶容量が問題になる。【０１６２】
そのため、デジタル周波数のみの変更で対応可能な範囲をΔｆｄｉｇとすると、計算されたｆｐｃｈ＿ｃ（ｎ）が、式２９を満たす場合は、同期検出部のみを制御して周波数を指定する。また、満たさない場合は、移動局無線部１２４を制御、もしくは、移動局無線部１２４と同期検出部１１８との双方を制御して周波数を指定する方法を用いることができる。【０１６３】
【数２９】
2007142194.tif 000032
【図１】
2007142194.tif 000033
【図２】
2007142194.tif 000034
【図３（ａ）】
2007142194.tif 000035
【図３（ｂ）】
2007142194.tif 000036
【図３（ｃ）】
2007142194.tif 000037
【図４】
2007142194.tif 000038
【図５】
2007142194.tif 000039
【図６】
2007142194.tif 000040
【図７（ａ）】
2007142194.tif 000041
【図７（ｂ）】
2007142194.tif 000042
【図７（ｃ）】
2007142194.tif 000043
【図７（ｄ）】
2007142194.tif 000044
【図８】
2007142194.tif 000045
【図９】
2007142194.tif 000046
【図１０（ａ）】
2007142194.tif 000047
【図１０（ｂ）】
2007142194.tif 000048
【図１１】
2007142194.tif 000049
【図１２】
2007142194.tif 000050
【図１３】
2007142194.tif 000051
【図１４】
2007142194.tif 000052
【図１５】
2007142194.tif 000053
【図１６】
2007142194.tif 000054
【図１７（ａ）】
2007142194.tif 000055
【図１７（ｂ）】
2007142194.tif 000056
【国際調査報告】
2007142194.tif 000057
2007142194.tif 000058
2007142194.tif 000059
2007142194.tif 000060